(57)【要約】【課題】液体系の容器、特に調味料系などは使用回数が日常頻繁に使用する為、ほとんどの容器類には液漏れ、液だれ防止用に中間に容器開栓用中蓋若しくは開栓キャップが取り付けてあるが、この中間の容器開栓用中蓋若しくは開栓キャップの取り外しに関し、取り外し用のリングが不便且つなかなか面倒である。【解決手段】容器類の中蓋としてリング付きの中蓋がある。このリングセットは容器中蓋に仮止めと言えども中蓋とは一体成型品であり、この一体成型品から中蓋の取り除きには一気性の初期エネルギーを必要とする。これにはリングセットのリングそのものを引っ張る必要があり物によってはリングサイズも小さく、取り除く為の周辺環境も狭く、誠に不便である。よって本発明はこのリングに支点を設け、リング本体がテコとなり、中蓋を引き上げる接点の位置を適宜配分する事により、支点を利用した力配分により１／３〜１／４の力でリングセットを取り除く事が可能となる。【選択図】図１
2011219162.tif 000002
【特許請求の範囲】
【請求項１】
醤油やマヨネーズやケチャップなどを代表とする液体や調味料や粘性食品などの容器、或いは医薬品や化学薬品等の容器類の内容物出入口先端部における、内容物の液だれ防止用保護キャップの中心密閉部の開栓用中蓋若しくは開栓キャップの除去用牽引リングにおいて、テコの原理を導入した容器開栓用中蓋若しくは開栓キャップ。
【請求項２】
一般容器類の密閉用キャップ、若しくは開栓後の容器に別途に取り付けた密閉用キャップに小出し用として別途に取り付けられた請求項１に記載のテコの原理を導入した容器開栓用中蓋若しくは開栓キャップ。
【請求項３】
開栓時、指が簡単に差し込めるよう指先用牽引リングを二重巻にして収納した容器開栓用中蓋若しくは開栓キャップ。
【発明の詳細な説明】
【技術分野】
【０００１】  本発明は、液体や練り製品などのビン容器やチューブ容器には必需品としてフタやカバーなどが取り付けてあるが、これ等のカバーには製造段階から消費者が実際に使用開始するまでの保存用或いは酸化防止目的として、容器内容物の密閉用キャップとは別途に、日常の小出し用として中間の容器開栓用中蓋若しくは開栓キャップがあり、本発明はこの容器類の開栓用中蓋若しくは開栓キャップに関するものであり、本件はこの容器開栓用中蓋若しくは開栓キャップの取り外しに関する不便さを取り除き日常の利便性と簡易性を目的としたものである。
【背景技術】
【０００２】  酒、焼酎等の液体系嗜好品、醤油、酢、ソースなどの調味料、お茶、ウーロン茶、ジュース、コーラ等の飲料水、或いは医薬品、化粧品、マヨネーズ、ケチャップ、練り歯磨きなどの粘性内容物を収納するビンやボトルやチューブ等の容器類は、容器本体となる胴部、胴部の先端を閉塞する肩部、肩部に接続された出入口、出入口に接続する専用キャップ、或いはねじ付き専用キャップ或いは液だれ防止保護カバーなどで形成されているが、これ等容器に共通して云えることは、別部品として内容物の漏れ防止或いは、酸化防止や保存を目的とした主キャップが大部分の製品には必要不可欠であるが、液体系の容器、特に調味料系などは使用回数が日常頻繁に使用する為、ほとんどの容器類には液漏れ、液だれ防止目的として中間に容器開栓用中蓋若しくは開栓キャップが取り付けてあるが、本発明はこの中間の容器開栓用中蓋若しくは開栓キャップの取り外し方法に関するものである。【０００３】類似の先願特許としてはほとんど無く、特別に上げるとしても類似性は無いが関連性とし特開平１１−７９２２５号等は容器の密閉式キャップ構造：これは容器の密閉性とその使用時に於けるキャップを外す事無く使える利便性を追求したものであり
特開２００９−１４９３６０号密封容器：これも容器の密封性と搬送作業の簡易性についてであり、登録実用新案第３０９９０７９号容器栓：についてもボトルやビンやチューブ容器の密封用栓であって操作性、耐衝撃性、密閉性を追及したものであり、
実用新案公開平５−６０４３２液体容器の中栓：等は容器内の液体通路に断熱空間を設け容器の密封性と断熱性を追求し保温性を目的としたものである。
いずれも、これ等は全てビンやボトルの使用方法や、プラスチック製容器の形状やチューブ容器の形状に特性を求めたもの等であり、本発明とは基本的に思想を全く異にするものである。【０００４】
【特許文献１】特開平１１−７９２２５号等は容器の密閉式キャップ構造
【特許文献２】特開２００９−１４９３６０号密封容器：容器の密封性と搬送作業の簡易性
【特許文献３】登録実用新案第３０９９０７９号容器栓：ボトルやビンやチューブ容器の密封用栓であって操作性、耐衝撃性、密閉性を追及
【特許文献４】実用新案公開平５−６０４３２液体容器の中栓：容器内の液体通路に断熱空間を設け容器の密封性と断熱性を追求し保温性を目的とする  以上の様に類似の先願特許としてのこれ等全てビンやボトルの使用方法や、プラスチック製容器の形状やチューブ容器の形状に、保温性や密閉性或いは断熱性や操作性などの特性を求めたもの等でありこれ等いずれの考えも本発明とは思想の原点を全く異にするものである
【発明の開示】
【発明が解決しようとする課題】
【０００５】  前記したとおり、これ等ビンやボトル容器やチューブ容器関連には全て、内容物の保全を目的とした保管方法や漏れ防止や腐敗或いは酸化防止或いは密閉度を高める為のフタやカバーなどが付き物である。本発明はこれら保全のために使用するキャップに関するもので、これ等のプラスチック性キャップには内容物排出口の密閉性を目的とした主キャップを取り除くと、ほとんどの容器には液漏れや液だれ防止用として、主キャップを除いても、ビンやボトルなどそれぞれの容器専用部品として、中栓機能を兼ねたリングの付いた容器開栓用中蓋若しくは開栓キャップが取り付けてある。【０００６】  その容器開栓用中蓋若しくは開栓キャップは容器内の内容物の保全と密閉性を追及する上では非常に優れ者であるが、問題はこの容器開栓用中蓋若しくは開栓キャップである。容器開栓用中蓋若しくは開栓キャップはそれぞれの容器の主キャップとは別途の部品として、製品化後はそれぞれの容器の専属付属として市場に出回り、消費者が当該容器製品を購入後、主キャップを開栓し、次に容器開栓用中蓋若しくは開栓キャップを取り除くだけで製品は開栓され、不使用時には主キャップにより密閉性が保たれ、容器内容物の保全が図れる。またこの容器開栓に際して、開栓用中蓋若しくは開栓キャップには除去用のリングが付いている。このリングに指などを差し込み引っ張れば容器開栓用中蓋若しくは開栓キャップはそのまま取り外しが可能となり、容器内容物は日常継続的に使用可能となり、且つ主キャップにより容器内容物の品質保全も保たれる。しかし問題はこの容器開栓用中蓋若しくは開栓キャップ（以下リングセット）を取り外す時、使用する指に若干の力が必要となることである。【０００７】  男女に限らず元気な若者にとっては、これ等は問題にならないことであるが、今正に高齢化社会を迎えようとしている時代である。高齢者にとって前記リングセットを引きちぎる事は結構、指の力を必要とすることであり、ましてやリューマチや、手や指に障害がある人にとっては結構困難を要するところである。補助的にドライバーなどを差し込みリングセットを引き破ることも出来るが、指先以外の道具を使うことそのものに問題がある。よって本案ではこのリングセットの形状を変える事により取り外しの際、テコの原理でモーメントが働き僅かな指の力でも取り外し、いわゆる開栓が可能となる。【０００８】  通常これ等のビンやボトルを使用する際、最初に容器本体の主キャップを開栓し、次に中蓋であるリングセットを取り外す。この時、一般では通常まず両手を使って作業する。
しかも開栓時の容器は内容物が満タンに入った重い状態である。一般に主キャップはねじ式が多くほとんど抵抗無く開栓できるが、問題はこのリングセットの取り外しである。特に小さい容器などは元々容器の排出口が小さい為に、リングセットも小さいリングになり指先そのものの差し込みが困難である。そのリングも外周がプラスチック製中蓋の外周に囲まれている為、その外周の中から取り出すことさえいらだつ場合がある。特に調味料の場合は、鍋の沸騰する最中に必要とする場合もあり、そんな時に調味料容器のリングセットの開栓に出会うとあわてて他の事故をも招きかねない。要はこのリングセットの開栓時の不便さの問題である
【課題を解決するための手段】
【０００９】そこで本発明はこのリングセットの取り外しの利便性について提案するものである。リングセットは容器中蓋に仮止めしてあるとは言え、中蓋と一体成型品であり、この一体成型品からの取り除きには一気性の初期エネルギーを必要とする。これはリングセットのリングそのものを強力に引っ張る必要があり、リング本体が小さい場合、取り除きには不便性があり、且つリングそのものを取り出す為の周辺環境も狭く誠に不便である。よって本発明はこのリングに別途の支点を設け、リング本体がテコとなるよう、支点の位置を適宜配分する事により、支点を利用した力配分により１／３〜１／４の力でリングセットを取り除く事が可能となる。
図１並びに図４は既存のリングセット状態で、図２の中蓋を引っ張る力のみで取り外す状態である。本発明ではリングの付根９を支点として、リングの付根周辺９と中蓋先端１０とを連結し開栓の際テコの原理が働くようにし、中蓋取り外しの際できるだけ多くのモーメントが働くよう取り付け位置を調整する。図５ではリングを起すときリングの付根９を支点に中蓋先端１０に数倍の力が働く。
【発明の効果】
【００１０】取り付け位置を変える事により女性でもお年寄りでも余り指力に頼る事無く、簡単に開栓が可能となり、男性の力を必要としなくなった。従来の中蓋構造は醤油を始めとする液体の調味料やサラドレなど国内だけでなく、海外でも多くの国のあらゆる製品の中蓋に採用されており、先進国のほとんどは高齢化社会に向かっており、本提案により余り指力を必要としないで開栓出きることは日常の利便性を高め、高齢化社会への一助にもなる。
【産業上の利用可能性】
【００１１】上述したようにこれ等生活の必需品ともいうべき容器類をなんら問題なく使用できることは当然商品価値も上がり、該当する商品群には膨大なものがあり、その消費量たるや世界的な需要が見込まれ、わが国においても４０００万軒以上の所帯で毎年数本消費されることから想定すれば、その量たるや大変な量であり、例え少額でも膨大な市場である。
【図面の簡単な説明】
【００１２】
【図１】現在市販中の容器内の中蓋と中蓋取り外し用のリングの全体側面概要図である。
【図２】容器中蓋の上面図である。
【図３】ビンやボトルのキャップ部分の側面概要図と専用キャップ６の一例である。
【図４】既存の密封用リングセットの概要図である。
【図５】本発明の密封用リングセットの上面図である。
【図６】本発明の密封用リングセットの概要図である。
【図７】図６と同様密封用リングセットの概要図である。
【図８】リングセットを引き上げた時、８の寸法と７の寸法の倍数分の一の力で蓋が取り外せる。
【符号の説明】
【００１３】      １−１  取り外し前のリング及び中蓋側面である
１−２  リングに指を差込み引き上げ、中蓋が取り除かれる状態
２−１  容器が密閉状態の中蓋の側面断面図である
２−２  容器が開放される途中の中蓋の側面断面図である
３      中蓋取り外し用リングと中蓋のつなぎ
４      中蓋の上面図である。
５      ビンやボトルのキャップ部分の側面概要図。
６、    ビンやボトル専用キャップ側面図の一例である。
７、    取り外し用リングの直径寸法
８、    中蓋を取り外す場合の力学的モーメント倍数の基礎寸法
９、    リングの付根部が支点となる。
【図１】
2011219162.tif 000003
【図２】
2011219162.tif 000004
【図３】
2011219162.tif 000005
【図４】
2011219162.tif 000006
【図５】
2011219162.tif 000007
【図６】
2011219162.tif 000008
【図７】
2011219162.tif 000009
【図８】
2011219162.tif 000010